(57)【要約】【課題】  隔離装置不要な双方向ＤＣ／ＤＣコンバータ及び系統連系インバータシステムを提供する。【解決手段】  双方向ＤＣ／ＤＣコンバータは、第１インダクタと、第１スイッチと、第１コンデンサと、中間電圧点と、第２インダクタと、第２スイッチと、第２コンデンサと、第３スイッチと、第４スイッチと、を含む。直流電圧供給ユニットは、双方向ＤＣ／ＤＣコンバータに入力直流電圧を供給する。第３スイッチが導通状態になり、第４スイッチが導通状態になり、第１スイッチが非導通状態になり、第２スイッチが非導通状態になる場合、エネルギーを蓄積し、第３スイッチが非導通状態になり、第４スイッチが非導通状態になり、第１スイッチが導通状態になり、第２スイッチが導通状態になる場合、第１コンデンサ及び第２コンデンサに対してエネルギーを放出する。【選択図】図３
2017063589.tif 000002
【特許請求の範囲】
【請求項１】
正電圧端子と負電圧端子とを有する直流電圧供給ユニット及びインバータに用いられる双方向ＤＣ／ＤＣコンバータであって、
第１インダクタと、第１スイッチと、第１コンデンサと、中間電圧点と、第２インダクタと、第２スイッチと、第２コンデンサと、第３スイッチと、第４スイッチと、を含み、
前記第１インダクタの一端は、前記正電圧端子に電気的に接続され、
前記第１スイッチの第１端子は、前記第１インダクタの他端に電気的に接続され、前記第１スイッチの第２端子は、前記インバータに電気的に接続され、
前記第１コンデンサの一端は、前記第１スイッチの第２端子と前記インバータとに電気的に接続され、
前記中間電圧点は、前記第１コンデンサの他端に電気的に接続され、
前記第２インダクタの一端は、前記負電圧端子に電気的に接続され、
前記第２スイッチの第１端子は、前記第２インダクタの他端に電気的に接続され、前記第２スイッチの第２端子は、前記インバータに電気的に接続され、
前記第２コンデンサの一端は、前記中間電圧点に電気的に接続され、前記第２コンデンサの他端は、前記第２スイッチの第２端子と前記インバータとに電気的に接続され、
前記第３スイッチの第１端子は、前記第１インダクタの他端及び前記第１スイッチの第１端子に電気的に接続され、前記第３スイッチの第２端子は、前記中間電圧点に電気的に接続され、
前記第４スイッチの第１端子は、前記中間電圧点に電気的に接続され、前記第４スイッチの第２端子は、前記第２インダクタの他端及び前記第２スイッチの第１端子に電気的に接続され、
前記直流電圧供給ユニットは、前記双方向ＤＣ／ＤＣコンバータに入力直流電圧を供給し、
前記第１インダクタ及び前記第２インダクタは、
前記第３スイッチが導通状態になり、前記第４スイッチが導通状態になり、前記第１スイッチが非導通状態になり、前記第２スイッチが非導通状態になる場合、エネルギーを蓄積し、
前記第３スイッチが非導通状態になり、前記第４スイッチが非導通状態になり、前記第１スイッチが導通状態になり、前記第２スイッチが導通状態になる場合、前記第１コンデンサ及び前記第２コンデンサに対してエネルギーを放出することを特徴とする双方向ＤＣ／ＤＣコンバータ。
【請求項２】
前記第１スイッチ、前記第２スイッチ、前記第３スイッチ、及び前記第４スイッチを導通又は非導通にするためのスイッチ制御器をさらに含み、
前記スイッチ制御器は、前記第１スイッチの第３端子と、前記第２スイッチの第３端子と、前記第３スイッチの第３端子と、前記第４スイッチの第３端子とに電気的に接続されることを特徴とする請求項１に記載の双方向ＤＣ／ＤＣコンバータ。
【請求項３】
正電圧端子と負電圧端子とを有する直流電圧供給ユニット及びインバータに用いられる双方向ＤＣ／ＤＣコンバータであって、
第１インダクタと、第１スイッチと、第１コンデンサと、中間電圧点と、第２インダクタと、第２スイッチと、第２コンデンサと、第３スイッチと、を含み、
前記第１インダクタの一端は、前記正電圧端子に電気的に接続され、
前記第１スイッチの第１端子は、前記第１インダクタの他端に電気的に接続され、前記第１スイッチの第２端子は、前記インバータに電気的に接続され、
前記第１コンデンサの一端は、前記第１スイッチの第２端子と前記インバータとに電気的に接続され、
前記中間電圧点は、前記第１コンデンサの他端に電気的に接続され、
前記第２インダクタの一端は、前記負電圧端子に電気的に接続され、
前記第２スイッチの第１端子は、前記第２インダクタの他端に電気的に接続され、前記第２スイッチの第２端子は、前記インバータに電気的に接続され、
前記第２コンデンサの一端は、前記中間電圧点に電気的に接続され、前記第２コンデンサの他端は、前記第２スイッチの第２端子と前記インバータとに電気的に接続され、
前記第３スイッチの第１端子は、前記第１インダクタの他端及び前記第１スイッチの第１端子に電気的に接続され、前記第３スイッチの第２端子は、前記第２インダクタの他端及び前記第２スイッチの第１端子に電気的に接続され、
前記直流電圧供給ユニットは、前記双方向ＤＣ／ＤＣコンバータに入力直流電圧を供給し、
前記第１インダクタ及び前記第２インダクタは、
前記第３スイッチが導通状態になり、前記第１スイッチが非導通状態になり、前記第２スイッチが非導通状態になる場合、エネルギーを蓄積し、
前記第３スイッチが非導通状態になり、前記第１スイッチが導通状態になり、前記第２スイッチが導通状態になる場合、前記第１コンデンサ及び前記第２コンデンサに対してエネルギーを放出することを特徴とする双方向ＤＣ／ＤＣコンバータ。
【請求項４】
前記第１スイッチ、前記第２スイッチ、及び前記第３スイッチを導通又は非導通にするためのスイッチ制御器をさらに含み、
前記スイッチ制御器は、前記第１スイッチの第３端子と、前記第２スイッチの第３端子と、前記第３スイッチの第３端子とに電気的に接続されることを特徴とする請求項３に記載の双方向ＤＣ／ＤＣコンバータ。
【請求項５】
正電圧端子と負電圧端子とを有する直流電圧供給ユニットと、
前記直流電圧供給ユニットに電気的に接続される双方向ＤＣ／ＤＣコンバータと、
前記双方向ＤＣ／ＤＣコンバータに電気的に接続されるインバータと、
前記インバータに電気的に接続される電力網と、を含み、
前記双方向ＤＣ／ＤＣコンバータは、第１インダクタと、第１スイッチと、第１コンデンサと、中間電圧点と、第２インダクタと、第２スイッチと、第２コンデンサと、第３スイッチと、第４スイッチと、を含み、
前記第１インダクタの一端は、前記正電圧端子に電気的に接続され、
前記第１スイッチの第１端子は、前記第１インダクタの他端に電気的に接続され、前記第１スイッチの第２端子は、前記インバータに電気的に接続され、
前記第１コンデンサの一端は、前記第１スイッチの第２端子と前記インバータとに電気的に接続され、
前記中間電圧点は、前記第１コンデンサの他端に電気的に接続され、
前記第２インダクタの一端は、前記負電圧端子に電気的に接続され、
前記第２スイッチの第１端子は、前記第２インダクタの他端に電気的に接続され、前記第２スイッチの第２端子は、前記インバータに電気的に接続され、
前記第２コンデンサの一端は、前記中間電圧点に電気的に接続され、前記第２コンデンサの他端は、前記第２スイッチの第２端子と前記インバータとに電気的に接続され、
前記第３スイッチの第１端子は、前記第１インダクタの他端及び前記第１スイッチの第１端子に電気的に接続され、前記第３スイッチの第２端子は、前記中間電圧点に電気的に接続され、
前記第４スイッチの第１端子は、前記中間電圧点に電気的に接続され、前記第４スイッチの第２端子は、前記第２インダクタの他端及び前記第２スイッチの第１端子に電気的に接続され、
前記直流電圧供給ユニットは、前記双方向ＤＣ／ＤＣコンバータに入力直流電圧を供給し、
前記第１インダクタ及び前記第２インダクタは、
前記第３スイッチが導通状態になり、前記第４スイッチが導通状態になり、前記第１スイッチが非導通状態になり、前記第２スイッチが非導通状態になる場合、エネルギーを蓄積し、
前記第３スイッチが非導通状態になり、前記第４スイッチが非導通状態になり、前記第１スイッチが導通状態になり、前記第２スイッチが導通状態になる場合、前記第１コンデンサ及び前記第２コンデンサに対してエネルギーを放出することを特徴とする系統連系インバータシステム。
【請求項６】
前記双方向ＤＣ／ＤＣコンバータは、前記第１スイッチ、前記第２スイッチ、前記第３スイッチ、前記第４スイッチを導通又は非導通にするためのスイッチ制御器をさらに含み、
前記スイッチ制御器は、前記第１スイッチの第３端子と、前記第２スイッチの第３端子と、前記第３スイッチの第３端子と、前記第４スイッチの第３端子とに電気的に接続されることを特徴とする請求項５に記載の系統連系インバータシステム。
【請求項７】
前記インバータと前記電力網とに電気的に接続されるリレーをさらに含むことを特徴とする請求項６に記載の系統連系インバータシステム。
【請求項８】
正電圧端子と負電圧端子とを有する直流電圧供給ユニットと、
前記直流電圧供給ユニットに電気的に接続される双方向ＤＣ／ＤＣコンバータと、
前記双方向ＤＣ／ＤＣコンバータに電気的に接続されるインバータと、
前記インバータに電気的に接続される電力網と、を含み、
前記双方向ＤＣ／ＤＣコンバータは、第１インダクタと、第１スイッチと、第１コンデンサと、中間電圧点と、第２インダクタと、第２スイッチと、第２コンデンサと、第３スイッチと、を含み、
前記第１インダクタの一端は、前記正電圧端子に電気的に接続され、
前記第１スイッチの第１端子は、前記第１インダクタの他端に電気的に接続され、前記第１スイッチの第２端子は、前記インバータに電気的に接続され、
前記第１コンデンサの一端は、前記第１スイッチの第２端子と前記インバータとに電気的に接続され、
前記中間電圧点は、前記第１コンデンサの他端に電気的に接続され、
前記第２インダクタの一端は、前記負電圧端子に電気的に接続され、
前記第２スイッチの第１端子は、前記第２インダクタの他端に電気的に接続され、前記第２スイッチの第２端子は、前記インバータに電気的に接続され、
前記第２コンデンサの一端は、前記中間電圧点に電気的に接続され、前記第２コンデンサの他端は、前記第２スイッチの第２端子と前記インバータとに電気的に接続され、
前記第３スイッチの第１端子は、前記第１インダクタの他端及び前記第１スイッチの第１端子に電気的に接続され、前記第３スイッチの第２端子は、前記第２インダクタの他端及び前記第２スイッチの第１端子に電気的に接続され、
前記直流電圧供給ユニットは、前記双方向ＤＣ／ＤＣコンバータに入力直流電圧を供給し、
前記第１インダクタ及び前記第２インダクタは、
前記第３スイッチが導通状態になり、前記第１スイッチが非導通状態になり、前記第２スイッチが非導通状態になる場合、エネルギーを蓄積し、
前記第３スイッチが非導通状態になり、前記第１スイッチが導通状態になり、前記第２スイッチが導通状態になる場合、前記第１コンデンサ及び前記第２コンデンサに対してエネルギーを放出することを特徴とする系統連系インバータシステム。
【請求項９】
前記双方向ＤＣ／ＤＣコンバータは、前記第１スイッチ、前記第２スイッチ、及び前記第３スイッチを導通又は非導通にするためのスイッチ制御器をさらに含み、
前記スイッチ制御器は、前記第１スイッチの第３端子と、前記第２スイッチの第３端子と、前記第３スイッチの第３端子とに電気的に接続されることを特徴とする請求項８に記載の系統連系インバータシステム。
【請求項１０】
前記インバータと前記電力網とに電気的に接続されるリレーをさらに含むことを特徴とする請求項９に記載の系統連系インバータシステム。
【発明の詳細な説明】
【技術分野】
【０００１】
本発明は、ＤＣ／ＤＣコンバータ及びインバータシステムに関し、特に、双方向ＤＣ／ＤＣコンバータ及び系統連系インバータシステムに関する。
【背景技術】
【０００２】
図１は、従来の系統連系インバータシステムを示すブロック図である。従来の系統連系インバータシステム７０は、直流電圧供給ユニットＶｉｎと、双方向ＤＣ／ＤＣコンバータ１０と、インバータ２０と、電力網５０と、リレー６０とを含む。直流電圧供給ユニットＶｉｎは、正電圧端子ＶｉｎＰと負電圧端子ＶｉｎＮとを有する。双方向ＤＣ／ＤＣコンバータ１０は、第１インダクタ１０２と、第１スイッチ１０４と、第１コンデンサ１０６と、中間電圧点ＢｕｓＮと、第２スイッチ１１０と、第２コンデンサ１１２と、スイッチ制御器１１８とを含む。
【０００３】
直流電圧供給ユニットＶｉｎは、双方向ＤＣ／ＤＣコンバータ１０に入力直流電圧３２を供給する。第２スイッチ１１０が導通状態になり、第１スイッチ１０４が非導通状態になる場合、第１インダクタ１０２は、エネルギーを蓄積する。第２スイッチ１１０が非導通状態になり、第１スイッチ１０４が導通状態になる場合、第１インダクタ１０２は、第１コンデンサ１０６及び第２コンデンサ１１２に対してエネルギーを放出する。
【０００４】
言い換えれば、スイッチ制御器１１８が第１スイッチ１０４及び第２スイッチ１１０を導通又は非導通にすることにより、双方向ＤＣ／ＤＣコンバータ１０は、入力直流電圧３２を出力直流電圧３４に変更するとともに、出力直流電圧３４をインバータ２０に伝送する。ここで、双方向ＤＣ／ＤＣコンバータ１０は、第１コンデンサ１０６及び第２コンデンサ１１２を介して、出力直流電圧３４をインバータ２０に伝送する。
【０００５】
インバータ２０に対して、中間電圧点ＢｕｓＮが接地されていないが、中間電圧点ＢｕｓＮの電位が接地点の電位に等しくなるように制御される。図１に示すように、従来の系統連系インバータシステム７０のブースト（ｂｏｏｓｔ）方式では、負電圧端子ＶｉｎＮの対地電圧が｜Ｖｂｕｓ／２｜であり、正電圧端子ＶｉｎＰの対地電圧が｜入力直流電圧３２−（Ｖｂｕｓ／２）｜である。ここで、Ｖｂｕｓは、図１における第１ノードｐと第２ノードｑとの間の電圧差を示している。このように、仮に商用電源がＡＣ２００Ｖである場合、そのＶｂｕｓは、商用電源より３５０Ｖ大きくならなければならない。この時、負電圧端子ＶｉｎＮの対地電圧が１７５Ｖである。
【発明の概要】
【発明が解決しようとする課題】
【０００６】
上述したように、図１に示すブースト方式では、対地電圧がＶｂｕｓに依存する。しかしながら、非太陽光発電型の入力装置について規制する国がある。例えば、日本の内線規程「ＪＥＡＣ８００１−２０１１」の１３００節の規定によると、入力電圧の対地電圧が１５０Ｖ以下でなければならない。
【０００７】
図２は、従来の系統連系インバータシステムの電圧のシミュレーション図である。同図に示すように、商用電源がＡＣ２００Ｖである場合、負電圧端子ＶｉｎＮの対地電圧が１７５Ｖである。上述したように、図１に示すブースト方式では、対地電圧がＶｂｕｓに依存するため、負電圧端子ＶｉｎＮの対地電圧が上記日本の規定を満たさない。そのため、上記日本の規定を満すためには、隔離装置を追加する必要があり、その結果、生産コスト増大を招く。
【０００８】
本発明は、上記の状況に鑑み、双方向ＤＣ／ＤＣコンバータを提供することを第１の目的とする。
【０００９】
本発明は、上記の状況に鑑み、双方向ＤＣ／ＤＣコンバータを提供することを第２の目的とする。
【００１０】
本発明は、上記の状況に鑑み、系統連系インバータシステムを提供することを第３の目的とする。
【００１１】
本発明は、上記の状況に鑑み、系統連系インバータシステムを提供することを第４の目的とする。
【課題を解決するための手段】
【００１２】
本発明の上記第１の目的を達成するため、本発明の双方向ＤＣ／ＤＣコンバータは、正電圧端子と負電圧端子とを有する直流電圧供給ユニット及びインバータに用いられ、第１インダクタと、第１スイッチと、第１コンデンサと、中間電圧点と、第２インダクタと、第２スイッチと、第２コンデンサと、第３スイッチと、第４スイッチと、を含み、前記第１インダクタの一端は、前記正電圧端子に電気的に接続され、前記第１スイッチの第１端子は、前記第１インダクタの他端に電気的に接続され、前記第１スイッチの第２端子は、前記インバータに電気的に接続され、前記第１コンデンサの一端は、前記第１スイッチの第２端子と、前記インバータとに電気的に接続され、前記中間電圧点は、前記第１コンデンサの他端に電気的に接続され、前記第２インダクタの一端は、前記負電圧端子に電気的に接続され、前記第２スイッチの第１端子は、前記第２インダクタの他端に電気的に接続され、前記第２スイッチの第２端子は、前記インバータに電気的に接続され、前記第２コンデンサの一端は、前記中間電圧点に電気的に接続され、前記第２コンデンサの他端は、前記第２スイッチの第２端子と前記インバータとに電気的に接続され、前記第３スイッチの第１端子は、前記第１インダクタの他端及び前記第１スイッチの第１端子に電気的に接続され、前記第３スイッチの第２端子は、前記中間電圧点に電気的に接続され、前記第４スイッチの第１端子は、前記中間電圧点に電気的に接続され、前記第４スイッチの第２端子は、前記第２インダクタの他端及び前記第２スイッチの第１端子に電気的に接続され、前記直流電圧供給ユニットは、前記双方向ＤＣ／ＤＣコンバータに入力直流電圧を供給し、前記第１インダクタ及び前記第２インダクタは、前記第３スイッチが導通状態になり、前記第４スイッチが導通状態になり、前記第１スイッチが非導通状態になり、前記第２スイッチが非導通状態になる場合、エネルギーを蓄積し、前記第３スイッチが非導通状態になり、前記第４スイッチが非導通状態になり、前記第１スイッチが導通状態になり、前記第２スイッチが導通状態になる場合、前記第１コンデンサ及び前記第２コンデンサに対してエネルギーを放出する。
【００１３】
また、前記双方向ＤＣ／ＤＣコンバータは、前記第１スイッチ、前記第２スイッチ、前記第３スイッチ、前記第４スイッチを導通又は非導通にするためのスイッチ制御器をさらに含み、前記スイッチ制御器は、前記第１スイッチの第３端子と、前記第２スイッチの第３端子と、前記第３スイッチの第３端子と、前記第４スイッチの第３端子とに電気的に接続される。
【００１４】
本発明の上記第２の目的を達成するため、本発明の双方向ＤＣ／ＤＣコンバータは、正電圧端子と負電圧端子とを有する直流電圧供給ユニット及びインバータに用いられ、第１インダクタと、第１スイッチと、第１コンデンサと、中間電圧点と、第２インダクタと、第２スイッチと、第２コンデンサと、第３スイッチと、を含み、前記第１インダクタの一端は、前記正電圧端子に電気的に接続され、前記第１スイッチの第１端子は、前記第１インダクタの他端に電気的に接続され、前記第１スイッチの第２端子は、前記インバータに電気的に接続され、前記第１コンデンサの一端は、前記第１スイッチの第２端子と前記インバータとに電気的に接続され、前記中間電圧点は、前記第１コンデンサの他端に電気的に接続され、前記第２インダクタの一端は、前記負電圧端子に電気的に接続され、前記第２スイッチの第１端子は、前記第２インダクタの他端に電気的に接続され、前記第２スイッチの第２端子は、前記インバータに電気的に接続され、前記第２コンデンサの一端は、前記中間電圧点に電気的に接続され、前記第２コンデンサの他端は、前記第２スイッチの第２端子と前記インバータとに電気的に接続され、前記第３スイッチの第１端子は、前記第１インダクタの他端及び前記第１スイッチの第１端子に電気的に接続され、前記第３スイッチの第２端子は、前記第２インダクタの他端及び前記第２スイッチの第１端子に電気的に接続され、前記直流電圧供給ユニットは、前記双方向ＤＣ／ＤＣコンバータに入力直流電圧を供給し、前記第１インダクタ及び前記第２インダクタは、前記第３スイッチが導通状態になり、前記第１スイッチが非導通状態になり、前記第２スイッチが非導通状態になる場合、エネルギーを蓄積し、前記第３スイッチが非導通状態になり、前記第１スイッチが導通状態になり、前記第２スイッチが導通状態になる場合、前記第１コンデンサ及び前記第２コンデンサに対してエネルギーを放出する。
【００１５】
また、前記双方向ＤＣ／ＤＣコンバータは、前記第１スイッチ、前記第２スイッチ、前記第３スイッチを導通又は非導通にするためのスイッチ制御器をさらに含み、前記スイッチ制御器は、前記第１スイッチの第３端子と、前記第２スイッチの第３端子と、前記第３スイッチの第３端子とに電気的に接続される。
【００１６】
本発明の上記第３の目的を達成するため、本発明の系統連系インバータシステムは、正電圧端子と負電圧端子とを有する直流電圧供給ユニットと、前記直流電圧供給ユニットに電気的に接続される双方向ＤＣ／ＤＣコンバータと、前記双方向ＤＣ／ＤＣコンバータに電気的に接続されるインバータと、前記インバータに電気的に接続される電力網と、を含み、前記双方向ＤＣ／ＤＣコンバータは、第１インダクタと、第１スイッチと、第１コンデンサと、中間電圧点と、第２インダクタと、第２スイッチと、第２コンデンサと、第３スイッチと、第４スイッチと、を含み、前記第１インダクタの一端は、前記正電圧端子に電気的に接続され、前記第１スイッチの第１端子は、前記第１インダクタの他端に電気的に接続され、前記第１スイッチの第２端子は、前記インバータに電気的に接続され、前記第１コンデンサの一端は、前記第１スイッチの第２端子と前記インバータとに電気的に接続され、前記中間電圧点は、前記第１コンデンサの他端に電気的に接続され、前記第２インダクタの一端は、前記負電圧端子に電気的に接続され、前記第２スイッチの第１端子は、前記第２インダクタの他端に電気的に接続され、前記第２スイッチの第２端子は、前記インバータに電気的に接続され、前記第２コンデンサの一端は、前記中間電圧点に電気的に接続され、前記第２コンデンサの他端は、前記第２スイッチの第２端子と前記インバータとに電気的に接続され、前記第３スイッチの第１端子は、前記第１インダクタの他端及び前記第１スイッチの第１端子に電気的に接続され、前記第３スイッチの第２端子は、前記中間電圧点に電気的に接続され、前記第４スイッチの第１端子は、前記中間電圧点に電気的に接続され、前記第４スイッチの第２端子は、前記第２インダクタの他端及び前記第２スイッチの第１端子に電気的に接続され、前記直流電圧供給ユニットは、前記双方向ＤＣ／ＤＣコンバータに入力直流電圧を供給し、前記第１インダクタ及び前記第２インダクタは、前記第３スイッチが導通状態になり、前記第４スイッチが導通状態になり、前記第１スイッチが非導通状態になり、前記第２スイッチが非導通状態になる場合、エネルギーを蓄積し、前記第３スイッチが非導通状態になり、前記第４スイッチが非導通状態になり、前記第１スイッチが導通状態になり、前記第２スイッチが導通状態になる場合、前記第１コンデンサ及び前記第２コンデンサに対してエネルギーを放出する。
【００１７】
また、前記系統連系インバータシステムにおいて、前記双方向ＤＣ／ＤＣコンバータは、前記第１スイッチ、前記第２スイッチ、前記第３スイッチ、前記第４スイッチを導通又は非導通にするためのスイッチ制御器をさらに含み、前記スイッチ制御器は、前記第１スイッチの第３端子と、前記第２スイッチの第３端子と、前記第３スイッチの第３端子と、前記第４スイッチの第３端子とに電気的に接続される。
【００１８】
また、前記系統連系インバータシステムは、前記インバータと前記電力網とに電気的に接続されるリレーをさらに含む。
【００１９】
本発明の上記第４の目的を達成するため、本発明の系統連系インバータシステムは、正電圧端子と負電圧端子とを有する直流電圧供給ユニットと、前記直流電圧供給ユニットに電気的に接続される双方向ＤＣ／ＤＣコンバータと、前記双方向ＤＣ／ＤＣコンバータに電気的に接続されるインバータと、前記インバータに電気的に接続される電力網と、を含み、前記双方向ＤＣ／ＤＣコンバータは、第１インダクタと、第１スイッチと、第１コンデンサと、中間電圧点と、第２インダクタと、第２スイッチと、第２コンデンサと、第３スイッチと、を含み、前記第１インダクタの一端は、前記正電圧端子に電気的に接続され、前記第１スイッチの第１端子は、前記第１インダクタの他端に電気的に接続され、前記第１スイッチの第２端子は、前記インバータに電気的に接続され、前記第１コンデンサの一端は、前記第１スイッチの第２端子と前記インバータとに電気的に接続され、前記中間電圧点は、前記第１コンデンサの他端に電気的に接続され、前記第２インダクタの一端は、前記負電圧端子に電気的に接続され、前記第２スイッチの第１端子は、前記第２インダクタの他端に電気的に接続され、前記第２スイッチの第２端子は、前記インバータに電気的に接続され、前記第２コンデンサの一端は、前記中間電圧点に電気的に接続され、前記第２コンデンサの他端は、前記第２スイッチの第２端子と前記インバータとに電気的に接続され、前記第３スイッチの第１端子は、前記第１インダクタの他端及び前記第１スイッチの第１端子に電気的に接続され、前記第３スイッチの第２端子は、前記第２インダクタの他端及び前記第２スイッチの第１端子に電気的に接続され、前記直流電圧供給ユニットは、前記双方向ＤＣ／ＤＣコンバータに入力直流電圧を供給し、前記第１インダクタ及び前記第２インダクタは、前記第３スイッチが導通状態になり、前記第１スイッチが非導通状態になり、前記第２スイッチが非導通状態になる場合、エネルギーを蓄積し、前記第３スイッチが非導通状態になり、前記第１スイッチが導通状態になり、前記第２スイッチが導通状態になる場合、前記第１コンデンサ及び前記第２コンデンサに対してエネルギーを放出する。
【００２０】
また、前記系統連系インバータシステムにおいて、前記双方向ＤＣ／ＤＣコンバータは、前記第１スイッチ、前記第２スイッチ、前記第３スイッチを導通又は非導通にするためのスイッチ制御器をさらに含み、前記スイッチ制御器は、前記第１スイッチの第３端子と、前記第２スイッチの第３端子と、前記第３スイッチの第３端子とに電気的に接続される。
【００２１】
また、前記系統連系インバータシステムは、前記インバータと前記電力網とに電気的に接続されるリレーをさらに含む。
【発明の効果】
【００２２】
本発明は、直流電圧供給ユニットの負電圧端子の対地電圧を低減することにより、隔離装置を追加しなくても規定を満たすことができる。
【図面の簡単な説明】
【００２３】
【図１】従来の系統連系インバータシステムを示すブロック図である。
【図２】従来の系統連系インバータシステムの電圧のシミュレーション図である。
【図３】本発明の双方向ＤＣ／ＤＣコンバータの第１実施例を示すブロック図である。
【図４】本発明の双方向ＤＣ／ＤＣコンバータの第２実施例を示すブロック図である。
【図５】本発明の系統連系インバータシステムの第１実施例を示すブロック図である。
【図６】本発明の系統連系インバータシステムの第２実施例を示すブロック図である。
【図７】本発明の双方向ＤＣ／ＤＣコンバータ又は系統連系インバータシステムの電圧のシミュレーション図である。
【図８】太陽光発電系統連系インバータシステムに用いられる本発明の双方向ＤＣ／ＤＣコンバータの第１実施例を示すブロック図である。
【図９】太陽光発電系統連系インバータシステムに用いられる本発明の双方向ＤＣ／ＤＣコンバータの第２実施例を示すブロック図である。
【図１０】太陽光発電系統連系インバータシステムに用いられる本発明の双方向ＤＣ／ＤＣコンバータの第３実施例を示すブロック図である。
【図１１】太陽光発電系統連系インバータシステムに用いられる本発明の双方向ＤＣ／ＤＣコンバータの第４実施例を示すブロック図である。
【発明を実施するための形態】
【００２４】
本発明の詳細な説明及び技術内容について、図面を参照して以下に説明するが、図面は、ただ参考及び説明に用いるのみであり、本発明に制限を加えるものではない。
【００２５】
図３は、本発明の双方向ＤＣ／ＤＣコンバータの第１実施例を示すブロック図である。双方向ＤＣ／ＤＣコンバータ１０は、直流電圧供給ユニットＶｉｎ及びインバータ２０に用いられている。直流電圧供給ユニットＶｉｎは、正電圧端子ＶｉｎＰと負電圧端子ＶｉｎＮとを有している。双方向ＤＣ／ＤＣコンバータ１０は、第１インダクタ１０２と、第１スイッチ１０４と、第１コンデンサ１０６と、中間電圧点ＢｕｓＮと、第２インダクタ１０８と、第２スイッチ１１０と、第２コンデンサ１１２と、第３スイッチ１１４と、第４スイッチ１１６と、スイッチ制御器１１８と、を含んでいる。直流電圧供給ユニットＶｉｎは、例えば、充電電池であり、電気エネルギーを供給するほかに、電気エネルギーを蓄積することができる。
【００２６】
第１インダクタ１０２の一端は、正電圧端子ＶｉｎＰに電気的に接続され、第１スイッチ１０４の第１端子は、第１インダクタ１０２の他端に電気的に接続され、第１スイッチ１０４の第２端子は、インバータ２０に電気的に接続されている。第１コンデンサ１０６の一端は、第１スイッチ１０４の第２端子と、インバータ２０とに電気的に接続されている。中間電圧点ＢｕｓＮは、第１コンデンサ１０６の他端に電気的に接続されている。第２インダクタ１０８の一端は、負電圧端子ＶｉｎＮに電気的に接続されている。第２スイッチ１１０の第１端子は、第２インダクタ１０８の他端に電気的に接続され、第２スイッチ１１０の第２端子は、インバータ２０に電気的に接続されている。第２コンデンサ１１２の一端は、中間電圧点ＢｕｓＮに電気的に接続され、第２コンデンサ１１２の他端は、第２スイッチ１１０の第２端子及びインバータ２０に電気的に接続されている。第３スイッチ１１４の第１端子は、第１インダクタ１０２の他端及び第１スイッチ１０４の第１端子に電気的に接続され、第３スイッチ１１４の第２端子は、中間電圧点ＢｕｓＮに電気的に接続されている。第４スイッチ１１６の第１端子は、中間電圧点ＢｕｓＮに電気的に接続され、第４スイッチ１１６の第２端子は、第２インダクタ１０８の他端及び第２スイッチ１１０の第１端子に電気的に接続されている。スイッチ制御器１１８は、第１スイッチ１０４の第３端子と、第２スイッチ１１０の第３端子と、第３スイッチ１１４の第３端子と、第４スイッチ１１６の第３端子とに電気的に接続されている。
【００２７】
直流電圧供給ユニットＶｉｎは、双方向ＤＣ／ＤＣコンバータ１０に入力直流電圧３２を供給する。一具体例において、第１インダクタ１０２及び第２インダクタ１０８は、第３スイッチ１１４が導通状態になり、第４スイッチ１１６が導通状態になり、第１スイッチ１０４が非導通状態になり、第２スイッチ１１０が非導通状態になる場合、エネルギーを蓄積する。一方、第１インダクタ１０２及び第２インダクタ１０８は、第３スイッチ１１４が非導通状態になり、第４スイッチ１１６が非導通状態になり、第１スイッチ１０４が導通状態になり、第２スイッチ１１０が導通状態になる場合、第１コンデンサ１０６及び第２コンデンサ１１２に対してエネルギーを放出する。
【００２８】
上記具体例は単なる例示であり、本発明を限定するものとして解釈されるべきではない。本発明の他の具体例によれば、第１スイッチ１０４、第２スイッチ１１０、第３スイッチ１１４、及び第４スイッチ１１６の導通タイミング又は導通時間を制御することにより、第１コンデンサ１０６及び第２コンデンサ１１２の電圧のバランスを保つように制御することができる。
【００２９】
言い換えれば、スイッチ制御器１１８が第１スイッチ１０４、第２スイッチ１１０、第３スイッチ１１４、及び第４スイッチ１１６を導通又は非導通にすることにより、双方向ＤＣ／ＤＣコンバータ１０は、入力直流電圧３２を出力直流電圧３４に変更するとともに、出力直流電圧３４をインバータ２０に伝送する。ここで、双方向ＤＣ／ＤＣコンバータ１０は、第１コンデンサ１０６及び第２コンデンサ１１２を介して、出力直流電圧３４をインバータ２０に伝送する。
【００３０】
図４は、本発明の双方向ＤＣ／ＤＣコンバータの第２実施例を示すブロック図である。双方向ＤＣ／ＤＣコンバータ１０は、直流電圧供給ユニットＶｉｎ及びインバータ２０に用いられている。直流電圧供給ユニットＶｉｎは、正電圧端子ＶｉｎＰと負電圧端子ＶｉｎＮとを有している。双方向ＤＣ／ＤＣコンバータ１０は、第１インダクタ１０２と、第１スイッチ１０４と、第１コンデンサ１０６と、中間電圧点ＢｕｓＮと、第２インダクタ１０８と、第２スイッチ１１０と、第２コンデンサ１１２と、第３スイッチ１１４と、スイッチ制御器１１８と、を含んでいる。
【００３１】
第１インダクタ１０２の一端は、正電圧端子ＶｉｎＰに電気的に接続され、第１スイッチ１０４の第１端子は、第１インダクタ１０２の他端に電気的に接続され、第１スイッチ１０４の第２端子は、インバータ２０に電気的に接続されている。第１コンデンサ１０６の一端は、第１スイッチ１０４の第２端子と、インバータ２０に電気的に接続されている。中間電圧点ＢｕｓＮは、第１コンデンサ１０６の他端に電気的に接続されている。第２インダクタ１０８の一端は、負電圧端子ＶｉｎＮに電気的に接続されている。第２スイッチ１１０の第１端子は、第２インダクタ１０８の他端に電気的に接続され、第２スイッチ１１０の第２端子は、インバータ２０に電気的に接続されている。第２コンデンサ１１２の一端は、中間電圧点ＢｕｓＮに電気的に接続され、第２コンデンサ１１２の他端は、第２スイッチ１１０の第２端子及びインバータ２０に電気的に接続されている。第３スイッチ１１４の第１端子は、第１インダクタ１０２の他端及び第１スイッチ１０４の第１端子に電気的に接続され、第３スイッチ１１４の第２端子は、第２インダクタ１０８の他端及び第２スイッチ１１０の第１端子に電気的に接続されている。スイッチ制御器１１８は、第１スイッチ１０４の第３端子と、第２スイッチ１１０の第３端子と、第３スイッチ１１４の第３端子とに電気的に接続されている。
【００３２】
直流電圧供給ユニットＶｉｎは、双方向ＤＣ／ＤＣコンバータ１０に入力直流電圧３２を供給する。第１インダクタ１０２及び第２インダクタ１０８は、第３スイッチ１１４が導通状態になり、第１スイッチ１０４が非導通状態になり、第２スイッチ１１０が非導通状態になる場合、エネルギーを蓄積する。一方、第１インダクタ１０２及び第２インダクタ１０８は、第３スイッチ１１４が非導通状態になり、第１スイッチ１０４が導通状態になり、第２スイッチ１１０が導通状態になる場合、第１コンデンサ１０６及び第２コンデンサ１１２に対してエネルギーを放出する。
【００３３】
言い換えれば、スイッチ制御器１１８が第１スイッチ１０４、第２スイッチ１１０、及び第３スイッチ１１４を導通又は非導通にすることにより、双方向ＤＣ／ＤＣコンバータ１０は、入力直流電圧３２を出力直流電圧３４に変更するとともに、出力直流電圧３４をインバータ２０に伝送する。ここで、双方向ＤＣ／ＤＣコンバータ１０は、第１コンデンサ１０６及び第２コンデンサ１１２を介して、出力直流電圧３４をインバータ２０に伝送する。
【００３４】
図５は、本発明の系統連系インバータシステムの第１実施例を示すブロック図である。系統連系インバータシステム４０は、直流電圧供給ユニットＶｉｎと、双方向ＤＣ／ＤＣコンバータ１０と、インバータ２０と、電力網５０と、リレー６０と、を含んでいる。直流電圧供給ユニットＶｉｎは、正電圧端子ＶｉｎＰと負電圧端子ＶｉｎＮとを有している。双方向ＤＣ／ＤＣコンバータ１０は、直流電圧供給ユニットＶｉｎに電気的に接続され、インバータ２０は、双方向ＤＣ／ＤＣコンバータ１０に電気的に接続されている。また、電力網５０は、インバータ２０に電気的に接続され、リレー６０は、インバータ２０及び電力網５０に電気的に接続されている。
【００３５】
双方向ＤＣ／ＤＣコンバータ１０は、第１インダクタ１０２と、第１スイッチ１０４と、第１コンデンサ１０６と、中間電圧点ＢｕｓＮと、第２インダクタ１０８と、第２スイッチ１１０と、第２コンデンサ１１２と、第３スイッチ１１４と、第４スイッチ１１６と、スイッチ制御器１１８と、を含んでいる。
【００３６】
第１インダクタ１０２の一端は、正電圧端子ＶｉｎＰに電気的に接続され、第１スイッチ１０４の第１端子は、第１インダクタ１０２の他端に電気的に接続され、第１スイッチ１０４の第２端子は、インバータ２０に電気的に接続されている。第１コンデンサ１０６の一端は、第１スイッチ１０４の第２端子と、インバータ２０に電気的に接続されている。中間電圧点ＢｕｓＮは、第１コンデンサ１０６の他端に電気的に接続されている。第２インダクタ１０８の一端は、負電圧端子ＶｉｎＮに電気的に接続されている。第２スイッチ１１０の第１端子は、第２インダクタ１０８の他端に電気的に接続され、第２スイッチ１１０の第２端子は、インバータ２０に電気的に接続されている。第２コンデンサ１１２の一端は、中間電圧点ＢｕｓＮに電気的に接続され、第２コンデンサ１１２の他端は、第２スイッチ１１０の第２端子及びインバータ２０に電気的に接続されている。第３スイッチ１１４の第１端子は、第１インダクタ１０２の他端及び第１スイッチ１０４の第１端子に電気的に接続され、第３スイッチ１１４の第２端子は、中間電圧点ＢｕｓＮに電気的に接続されている。第４スイッチ１１６の第１端子は、中間電圧点ＢｕｓＮに電気的に接続され、第４スイッチ１１６の第２端子は、第２インダクタ１０８の他端及び第２スイッチ１１０の第１端子に電気的に接続されている。スイッチ制御器１１８は、第１スイッチ１０４の第３端子と、第２スイッチ１１０の第３端子と、第３スイッチ１１４の第３端子と、第４スイッチ１１６の第３端子とに電気的に接続されている。
【００３７】
直流電圧供給ユニットＶｉｎは、双方向ＤＣ／ＤＣコンバータ１０に入力直流電圧３２を供給する。一具体例において、第１インダクタ１０２及び第２インダクタ１０８は、第３スイッチ１１４が導通状態になり、第４スイッチ１１６が導通状態になり、第１スイッチ１０４が非導通状態になり、第２スイッチ１１０が非導通状態になる場合、エネルギーを蓄積する。一方、第１インダクタ１０２及び第２インダクタ１０８は、第３スイッチ１１４が非導通状態になり、第４スイッチ１１６が非導通状態になり、第１スイッチ１０４が導通状態になり、第２スイッチ１１０が導通状態になる場合、第１コンデンサ１０６及び第２コンデンサ１１２に対してエネルギーを放出する。
【００３８】
上記具体例は単なる例示であり、本発明を限定するものとして解釈されるべきではない。本発明の他の具体例によれば、第１スイッチ１０４、第２スイッチ１１０、第３スイッチ１１４、及び第４スイッチ１１６の導通タイミング又は導通時間を制御することにより、第１コンデンサ１０６及び第２コンデンサ１１２の電圧のバランスを保つように制御することができる。
【００３９】
言い換えれば、スイッチ制御器１１８が第１スイッチ１０４、第２スイッチ１１０、第３スイッチ１１４、及び第４スイッチ１１６を導通又は非導通にすることにより、双方向ＤＣ／ＤＣコンバータ１０は、入力直流電圧３２を出力直流電圧３４に変更するとともに、出力直流電圧３４をインバータ２０に伝送する。ここで、双方向ＤＣ／ＤＣコンバータ１０は、第１コンデンサ１０６及び第２コンデンサ１１２を介して、出力直流電圧３４をインバータ２０に伝送する。
【００４０】
図６は、本発明の系統連系インバータシステムの第２実施例を示すブロック図である。系統連系インバータシステム４０は、直流電圧供給ユニットＶｉｎと、双方向ＤＣ／ＤＣコンバータ１０と、インバータ２０と、電力網５０と、リレー６０と、を含んでいる。直流電圧供給ユニットＶｉｎは、正電圧端子ＶｉｎＰと負電圧端子ＶｉｎＮとを有している。双方向ＤＣ／ＤＣコンバータ１０は、直流電圧供給ユニットＶｉｎに電気的に接続され、インバータ２０は、双方向ＤＣ／ＤＣコンバータ１０に電気的に接続され、電力網５０は、インバータ２０に電気的に接続され、リレー６０は、インバータ２０及び電力網５０に電気的に接続されている。
【００４１】
双方向ＤＣ／ＤＣコンバータ１０は、第１インダクタ１０２と、第１スイッチ１０４と、第１コンデンサ１０６と、中間電圧点ＢｕｓＮと、第２インダクタ１０８と、第２スイッチ１１０と、第２コンデンサ１１２と、第３スイッチ１１４と、スイッチ制御器１１８と、を含んでいる。
【００４２】
第１インダクタ１０２の一端は、正電圧端子ＶｉｎＰに電気的に接続され、第１スイッチ１０４の第１端子は、第１インダクタ１０２の他端に電気的に接続され、第１スイッチ１０４の第２端子は、インバータ２０に電気的に接続されている。第１コンデンサ１０６の一端は、第１スイッチ１０４の第２端子と、インバータ２０に電気的に接続されている。中間電圧点ＢｕｓＮは、第１コンデンサ１０６の他端に電気的に接続されている。第２インダクタ１０８の一端は、負電圧端子ＶｉｎＮに電気的に接続されている。第２スイッチ１１０の第１端子は、第２インダクタ１０８の他端に電気的に接続され、第２スイッチ１１０の第２端子は、インバータ２０に電気的に接続されている。第２コンデンサ１１２の一端は、中間電圧点ＢｕｓＮに電気的に接続され、第２コンデンサ１１２の他端は、第２スイッチ１１０の第２端子及びインバータ２０に電気的に接続されている。第３スイッチ１１４の第１端子は、第１インダクタ１０２の他端及び第１スイッチ１０４の第１端子に電気的に接続され、第３スイッチ１１４の第２端子は、第２インダクタ１０８の他端及び第２スイッチ１１０の第１端子に電気的に接続されている。スイッチ制御器１１８は、第１スイッチ１０４の第３端子と、第２スイッチ１１０の第３端子と、第３スイッチ１１４の第３端子とに電気的に接続されている。
【００４３】
直流電圧供給ユニットＶｉｎは、双方向ＤＣ／ＤＣコンバータ１０に入力直流電圧３２を供給する。第１インダクタ１０２及び第２インダクタ１０８は、第３スイッチ１１４が導通状態になり、第１スイッチ１０４が非導通状態になり、第２スイッチ１１０が非導通状態になる場合、エネルギーを蓄積する。一方、第１インダクタ１０２及び第２インダクタ１０８は、第３スイッチ１１４が非導通状態になり、第１スイッチ１０４が導通状態になり、第２スイッチ１１０が導通状態になる場合、第１コンデンサ１０６及び第２コンデンサ１１２に対してエネルギーを放出する。
【００４４】
言い換えれば、スイッチ制御器１１８が第１スイッチ１０４、第２スイッチ１１０、及び第３スイッチ１１４を導通又は非導通にすることにより、双方向ＤＣ／ＤＣコンバータ１０は、入力直流電圧３２を出力直流電圧３４に変更するとともに、出力直流電圧３４をインバータ２０に伝送する。ここで、双方向ＤＣ／ＤＣコンバータ１０は、第１コンデンサ１０６及び第２コンデンサ１１２を介して、出力直流電圧３４をインバータ２０に伝送する。
【００４５】
図７は、本発明の双方向ＤＣ／ＤＣコンバータ又は系統連系インバータシステムの電圧のシミュレーション図である。同図に示すように、正電圧端子ＶｉｎＰの対地電圧の絶対値は、負電圧端子ＶｉｎＮの対地電圧の絶対値に等しい（即ち、１００Ｖであり、入力直流電圧３２の半値である。これは、図１に示す回路に比べて、本発明の回路は対称的に構成されるからである。図７に示す電圧波形は、零点に対して対称となる）。これにより、上述した日本の内線規程「ＪＥＡＣ８００１−２０１１」の１３００節の規定を満たすことができる。
【００４６】
本発明は、直流電圧供給ユニットＶｉｎの負電圧端子ＶｉｎＮの対地電圧を低減することにより、隔離装置を追加しなくても規定を満たすことができる。その対地電圧が図１に示すＶｂｕｓに依存していないため、入力直流電圧３２により規定を満たすことができる。
【００４７】
図４（又は図６）に比べて、図３（又は図５）に示す本発明は、第１コンデンサ１０６の電圧及び第２コンデンサ１１２の電圧のバランスを保つ作用を有することにより、第１コンデンサ１０６の電圧を第２コンデンサ１１２の電圧に等しくすることができる。図３（又は図５）に比べて、図４（又は図６）に示す本発明は、１つのスイッチを省いても、上述のように対地電圧がＶｂｕｓに対地電圧が図１に示すＶｂｕｓに依存しない利点を有している。
【００４８】
また、本発明には、他の太陽光発電系統連系インバータシステムに用いることが可能である。図８は、太陽光発電系統連系インバータシステムに用いられる本発明の双方向ＤＣ／ＤＣコンバータの第１実施例を示すブロック図である。太陽光発電系統連系インバータシステム８０は、太陽光発電装置ＰＶと、ＤＣ／ＤＣコンバータ８０２と、インバータ２０と、直流電圧供給ユニットＶｉｎと、第１インダクタ１０２と、第１スイッチ１０４と、第１コンデンサ１０６と、第２インダクタ１０８と、第２スイッチ１１０と、第２コンデンサ１１２と、第３スイッチ１１４と、スイッチ制御器１１８と、三相電源ＲＳＴと、を少なくとも含んでいる。直流電圧供給ユニットＶｉｎは、正電圧端子ＶｉｎＰと負電圧端子ＶｉｎＮとを有する。
【００４９】
図９は、太陽光発電系統連系インバータシステムに用いられる本発明の双方向ＤＣ／ＤＣコンバータの第２実施例を示すブロック図である。図９の説明において、図８と類似の構成については、簡略化のために、その説明を省略する。また、太陽光発電系統連系インバータシステム８０は、三相電源ＲＳＴの代わりに、第１電源ユニットＬ１と、第２電源ユニットＬ２とを含んでいる。
【００５０】
図１０は、太陽光発電系統連系インバータシステムに用いられる本発明の双方向ＤＣ／ＤＣコンバータの第３実施例を示すブロック図である。図１０の説明において、図８と類似の構成については、簡略化のために、その説明を省略する。また、太陽光発電系統連系インバータシステム８０は、三相電源ＲＳＴの代わりに、第１電源ユニットＬ１を含んでいる。
【００５１】
図１１は、太陽光発電系統連系インバータシステムに用いられる本発明の双方向ＤＣ／ＤＣコンバータの第４実施例を示すブロック図である。図１１の説明において、図８と類似の構成については、簡略化のために、その説明を省略する。また、太陽光発電系統連系インバータシステム８０は、図８に示す三相電源ＲＳＴ（図１１には図示せず）に接続される変圧器装置８０４をさらに含んでいる。
【００５２】
ただし、上記は、本発明の好ましい実施例の詳細な説明および図面に過ぎず、本発明の特徴はこれに限定されないため、本発明を限定するために用いられるものではなく、本発明の全ての範囲は別紙の特許請求の範囲を基準とすべきである。およそ本発明の特許請求の範囲における技術的思想およびその類似の変化の実施例に合うものは、いずれも本発明の範疇に含まれるものであって、当業者が本発明の範囲内で容易に想到し得る変化または付加はいずれも本願の特許請求の範囲に含まれるものである。
【符号の説明】
【００５３】
１０  双方向ＤＣ／ＤＣコンバータ
２０  インバータ
３２  入力直流電圧
３４  出力直流電圧
４０  系統連系インバータシステム
５０  電力網
６０  リレー
７０  従来の系統連系インバータシステム
８０  太陽光発電系統連系インバータシステム
１０２  第１インダクタ
１０４  第１スイッチ
１０６  第１コンデンサ
１０８  第２インダクタ
１１０  第２スイッチ
１１２  第２コンデンサ
１１４  第３スイッチ
１１６  第４スイッチ
１１８  スイッチ制御器
８０２  ＤＣ／ＤＣコンバータ
８０４  変圧器装置
ＢｕｓＮ  中間電圧点
Ｌ１  第１電源ユニット
Ｌ２  第２電源ユニット
ｐ  第１ノード
ＰＶ  太陽光発電装置
ｑ  第２ノード
ＲＳＴ  三相電源
Ｖｉｎ  直流電圧供給ユニット
ＶｉｎＰ  正電圧端子
ＶｉｎＮ  負電圧端子
【図１】
2017063589.tif 000003
【図２】
2017063589.tif 000004
【図３】
2017063589.tif 000005
【図４】
2017063589.tif 000006
【図５】
2017063589.tif 000007
【図６】
2017063589.tif 000008
【図７】
2017063589.tif 000009
【図８】
2017063589.tif 000010
【図９】
2017063589.tif 000011
【図１０】
2017063589.tif 000012
【図１１】
2017063589.tif 000013